(57)【要約】      （修正有）【課題】  カラオケボックスや楽器を演奏する時間貸しの部屋の中で、自動的に機械の撮影部分が部屋の中を録画、録音し、それをコンピューターのメモリー部分に一時記憶し、コンパクトディスクやデジタルディスクに上書きして、その際の画像処理として、テレビの枠、花飾りの枠のようなデザインを施す自動的録画、録音装置を提供する。【解決手段】  パソコンにＵＳＢを介してＣＣＤカメラを取り付け、液晶モニターとタッチパネルによりパソコンの操作が出来るようにした。ＣＣＤカメラの撮影映像をＤＶＤ、ＣＤに録画、録音出来るようにした。そしてパソコンのＵＳＢポートにＵＳＢパラレル変換機を取り付け、ＵＳＢパラレル変換機のパラレルポートに課金のためコインセレクターと紙幣識別機を取り付け課金出来ることを特徴とする時間貨し店舗において、歌い手だけでなく全体を、自動的に録画、録音を実行し、加工し、自動的に排出する装置。【選択図】図１
2007257595.tif 000002
【特許請求の範囲】
【請求項１】
時間貸し店舗において、歌い手だけでなく全体を、自動的に録画、録音を実行し、加工し、自動的に排出する装置。
【発明の詳細な説明】
【技術分野】
【０００１】  本発明は、店舗内における録画、録音を自動で作動する機構を持ったカメラにて行い、撮影された情報をコンピューター内部の、ハードディスク部に一時記憶させ、同じくハードディスク内に格納されている罫線や画像を上書き加工し、更に加工された情報に機械に備え付けられたタッチパネルを用い、任意の手書き文字を加工する事が出来、その加工された情報を機械に備え付けられたコンパクトディスク用書き込み機や、デジタルディスク用書き込み機にて、装填されるコンパクトディスクやデジタルディスクに、書き込みを行って自動的に排出する装置である。
【背景技術】
【０００２】  従来、このような情報としての記念品を欲する人々の間では、当該装置が存在しない事により、携帯電話でのビデオ撮影等での撮影で、画質や音質で問題点が指摘されていたが、大容量メモリーの機構と、高画質ビデオチューナー及び動画編集プログラムを保持する事に依り、その問題点を解決した。
【発明の開示】
【発明が解決しようとする課題】
【０００３】  そのために、次のような問題点があった。
参加している人員の全員が一度に撮影されない。【０００４】  通常的に使用している器具での録画、録音は画質、音質の劣化が激しく、記念的なものではない。【０００５】  録画された画像に罫線や、任意の文字を入力して、楽しさを表現できない。
本発明は以上の問題点を解決しようとするものである。
【課題を解決するための手段】
【０００６】  機械に装備されたカメラを自動的に作動させ、空間を横方向に動作する回転板を供えた。【０００７】  機械に備え付けられたメモリー部を１ギガバイトとし、更に高画質チューナーを保持し、その情報を加工する動画編集プログラムを持たせた。【０００８】  カメラに依って録画、録音され、装置のハードディスクに格納された画像に、ペンタッチライト型記入パレットを保持する。
以上を特徴とする時間貸し店舗における自動的録画、録音装置である。
【発明の効果】
【０００９】  本発明は、集団での録画、録音を可能とした。【００１０】  簡単な操作で記念品として、そのときでなければならない寄せ書きができる。
【発明を実施するための最良の形態】
【００１１】  以下、本発明の実施の形態について説明する。【００１２】  （イ）実施形態の図面１及び図面２は、本発明の実施形態である時間貸し店舗内における自動的録画、録音装置の筐体外部の構成を示す構成図である。
（ロ）図面３は、時間貸し店舗内における自動的録画、録音装置の全体の構成を示すブロック図である。図面１，図面２，図面３に示すように、本実施形態である時間貸し店舗内における自動的録画、録音装置は、ＣＣＤカメラ１、回転台座２、タッチパネル付ＬＣＤモニター３、紙幣投入口４、コイン投入口５、ＤＶＤ／ＣＤ投入口６、ＣＣＤカメラコード７、タッチパネル８、ＬＣＤモニター９、パソコン１０、ＤＶＤレコーダー１１、ＨＤＤ１２、シリアルパラレル変換機１３、紙幣識別機１４、コイン選別機１５により構成されている。【００１３】  パソコン１０は、この時間貸し店舗内における自動的録画、録音装置の制御中枢であり、パソコン１０のアナログＲＧＢポートに接続されたＬＣＤモニター９、そしてＲＳ２３２Ｃポートに接続されたタッチパネル８、そしてＩＤＥに接続されたＤＶＤレコーダー１１、ＨＤＤ１２、そしてＵＳＢポートに接続されたＣＣＤカメラ１、シリアルパラレル変換機１３、とシリアルパラレル変換機１３、を介して接続された紙幣識別機１４、コイン選別機１５との間で各種情報の通信を行い、この時間貸し店舗内における自動的録画、録音装置全体の制御を行う。ＨＤＤ１２には、この時間貸し店舗内における自動的録画、録音装置を起動するために必要なイニシャルプログラム等の制御プログラムと動画編集プログラムが記憶されている。【００１４】  本実施形態にかかる時間貸し店舗内における自動的録画、録音装置の動作を説明する。まず、電源が入ると時間貸し店舗内における自動的録画、録音装置が初期化（Ｓ１）される、そしてＬＣＤモニター９にはデモ画面（Ｓ２）が表示されコイン投入待ち（Ｓ３）になる。紙幣投入口４またはコイン投入口５から紙幣またはコインが投入されると紙幣識別機１４、コイン選別機１５によりパソコンプログラムにスタート信号が送信される。パソコンプログラムはＬＣＤモニター９にメニュー画面（Ｓ４）を表示する。そしてユーザが操作部であるタッチパネル８を操作することによってパソコンプログラムはタッチパネルが選択（Ｓ５）されたことを認識してディスク挿入要求（Ｓ６）をＬＣＤモニター９に表示する。そしてディスクの挿入（Ｓ７）を待つ。そしてディスクが挿入されるとＬＣＤモニター９にスタート画面の表示（Ｓ８）を行いタッチパネルの選択（Ｓ９）ボタンが押されるのを待つ。そしてタッチパネルからスタート信号が入るとＨＤＤ１２から撮影プログラムを起動して撮影開始（Ｓ１０）される。撮影前、撮影中に回転台座２に設置されたＣＣＤカメラ１を自由に回転させ撮影方向を変えることが出来る。そしてＣＣＤカメラ１は延長用のＣＣＤカメラコード７が付けられているのでＣＣＤカメラ１を回転台座２から取り外し自由な方向からの撮影も可能にした。撮影中の動画は一時ＨＤＤ１２保存される。そして撮影が終了するとＬＣＤモニター９にメニュー画面表示され動画編集（Ｓ１２）するか確認する。タッチパネル８から動画編集が選択されるとパソコン１０から動画編集プログラムを起動する。そしてタッチパネル８から撮影された動画に寄せ書きや落書きが行える。編集が終了するとＨＤＤ１２に保存された動画は挿入されたＤＶＤまたはＣＤなどのディスクに書き込まれ払い出され��。【００１５】  本発明は、以上の構成によりなっている。
【図面の簡単な説明】
【００１６】
【図１】本発明の構成図
【図２】本発明の構成図
【図３】本発明のブロック図
【図４】本発明のフローチャート図
【符号の説明】
【００１７】    １  ＣＣＤカメラ
２  回転台座
３  タッチパネル付ＬＣＤモニター
４  紙幣投入口
５  コイン投入口
６  ＤＶＤ／ＣＤ投入口
７  ＣＣＤカメラコード
８  タッチパネル
９  ＬＣＤモニター
１０  パソコン
１１  ＤＶＤレコーダー
１２  ＨＤＤ（ハードディスク）
１３  シリアルパラレル変換機
１４  紙幣識別機
１５  コイン選別機
Ｓ１  初期化
Ｓ２  デモ画面表示
Ｓ３  コイン投入待ち
Ｓ４  メニュー画面の表示
Ｓ５  タッチパネル選択された
Ｓ６  ディスク挿入要求
Ｓ７  ディスクが入った
Ｓ８  スタート画面の表示
Ｓ９  タッチパネル選択された
Ｓ１０  撮影開始
Ｓ１１  撮影終了表示
Ｓ１２  動画編集
Ｓ１３  ディスク払出
Ｓ１４  終了
【図１】
2007257595.tif 000003
【図２】
2007257595.tif 000004
【図３】
2007257595.tif 000005
【図４】
2007257595.tif 000006